(57)【特許請求の範囲】
【請求項１】
音声信号をディジタル化したディジタル信号が入力され、前記ディジタル信号のビットの全てまたは一部の値に対応した数の出力端から動作信号を出力する符号化手段と、この符号化手段の出力端にそれぞれ接続され、かつ、前記音声信号で変調される搬送波信号を増幅する複数のスイッチング電力増幅器と、この複数のスイッチング電力増幅器のうち、前記符号化手段から前記動作信号が出力する出力端に接続して動作するスイッチング電力増幅器の出力を合成する合成器とを具備したディジタル振幅変調送信機において、前記ディジタル信号のビットの全てまたは一部と、このビットの全てまたは一部の値に対応する数を示す信号が出力される前記符号化手段の出力端との組み合わせを、ディジタル信号のビットと所定値とを比較し、音声信号の瞬時値が一定値以下の状態を検出して変えるようにしたことを特徴とするディジタル振幅変調送信機。
【請求項２】
音声信号の瞬時値が一定値以下の状態であることを検出した後に所定時間が経過してから、ディジタル信号のビットの全てまたは一部と、このビットの全てまたは一部の値に対応する数を示す信号が出力される符号化手段の出力端との組み合わせを変える手段を設けた請求項１記載のディジタル振幅変調送信機。
【請求項３】
音声信号をディジタル化したディジタル信号が入力され、前記ディジタル信号のビットの全てまたは一部の値に対応した数の出力端から動作信号を出力する符号化手段と、この符号化手段の出力端にそれぞれ接続され、かつ、前記音声信号で変調される搬送波信号を増幅する複数のスイッチング電力増幅器と、この複数のスイッチング電力増幅器のうち、前記符号化手段から前記動作信号が出力する出力端に接続して動作するスイッチング電力増幅器の出力を合成する合成器とを具備したディジタル振幅変調送信機において、前記ディジタル信号のビットの全てまたは一部と、このビットの全てまたは一部の値に対応する数を示す信号が出力される前記符号化手段の出力端との組み合わせを、音声信号の大きさの変化が小さい状態を検出して変えるようにしたことを特徴とするディジタル振幅変調送信機。
【請求項４】
音声信号の大きさの変化が小さい状態であることをディジタル信号のビットの変化から検出する請求項３記載のディジタル振幅変調送信機。
【発明の詳細な説明】
【０００１】
【発明の属する技術分野】
本発明は、中波帯や短波帯のラジオ放送などに使用されるディジタル振幅変調方式によるディジタル振幅変調送信機に関する。
【０００２】
【従来の技術】
従来のディジタル振幅変調送信機について図５の回路構成図を参照して説明する。符号１１は音声信号の入力端で、入力端１１から音声信号が入力する。入力した音声信号はＡ／Ｄコンバータ１２に加えられ、例えば１２ビットの２進符号（２０、２１、２２、……２１１）で表現されるディジタル信号に変換される。このディジタル信号は各ビット毎に並列に符号器１３に加えられる。
【０００３】
符号器１３は、１２ビットの２進符号に対応する４０９５個（＃１〜＃４０９５）の出力端を有している。そして、これらの出力端のうち、ディジタル信号の値で定まる所定の出力端から信号が出力される。
【０００４】
例えば、２進符号の２０ビットが１の場合（１０進表示で１の場合）には＃１の１個の出力端に１が出力される。また、２１ビットが１の場合（１０進表示で２の場合）には＃２、＃３の２個の出力端に１が出力される。そして、２２ビットが１の場合（１０進表示で４の場合）には＃４〜＃７の４個の出力端に１が出力される。
【０００５】
このとき、音声信号のレベルが小さい場合は下位のビットが１になり、番号の小さい方の出力端に１が出力される。そして、音声信号のレベルが大きくなるにつれて上位のビットが１になり、番号の大きい出力端に１が出力されるようになる。
【０００６】
符号器１３の出力端は可変符号器１４に接続されている。可変符号器１４の動作については後で説明するが、可変符号器１４は、符号器１３の出力端に対応してそれぞれ４０９５個（＃１〜＃４０９５）の入力端と出力端を有している。また、可変符号器１４の出力端は、それぞれ各別に搬送波切替器１５（＃１〜＃４０９５）に接続され、搬送波切替器１５は同様に各別にスイッチング電力増幅器１６（＃１〜＃４０９５）に接続されている。搬送波切替器１５は、可変符号器１４の出力が加えられるとオン状態になる。
【０００７】
搬送波切替器１５やスイッチング電力増幅器１６などは、それぞれ複数個で構成されている。ここでは、搬送波切替器１５やスイッチング電力増幅器１６などの表現は、必ずしもこれら複数個を総称するものではなく、特定の１個あるいは複数個を表現する場合も、搬送波切替器１５あるいはスイッチング電力増幅器１６と表現して説明する。
【０００８】
また、符号１７は搬送波信号の入力端で、入力端１７から搬送波信号が入力される。搬送波信号は、分配器１８でスイッチング電力増幅器１６の数に等しい４０９５個に分割され、それぞれ前記搬送波切替器１５に加えられる。そして、オン状態にある搬送波切替器１５からスイッチング電力増幅器１６に加えられ増幅される。増幅された信号は合成器１９に加えられる。
【０００９】
合成器１９は、各スイッチング電力増幅器１６と個別に接続された一次巻線（＃１〜＃４０９５）と、各一次巻線に個別に結合され互いが直列に接続された二次巻線（＃１〜＃４０９５）とで構成されている。したがって、複数のスイッチング電力増幅器１６のうち、動作状態にあるスイッチング電力増幅器１６の出力が合成器１９で合成される。合成された出力は帯域フィルタ２０で振幅変調波となり、出力端２１から出力される。
【００１０】
上記した構成において、可変符号器１４は、たとえばマトリックス状スイッチで構成されており、符号器１３の出力端に対応した数の入力端と出力端が設けられている。そして、入力端と出力端との組み合わせが一定の時間間隔で変化するように構成されている。このため、入力端１１から入力する音声信号のレベルが一定で、例え符号器１３から出力する信号の出力端が同じであっても、信号が出力する可変符号器１４の出力端が時間とともに変化する。その結果、入力する音声信号に変化がなくても、動作状態になるスイッチング電力増幅器が時間によって変化し、所定のスイッチング電力増幅器が集中して動作しないようになっている。
【００１１】
例えば、音声信号のレベルが低い場合でも、可変符号器１４の働きで、スイッチング電力増幅器は小さい番号のものから、大きい番号のものまで均等に動作する。そのため、各スイッチング電力増幅器が均一に動作し、信頼性のバランスがよくなり、信頼性も向上する。
【００１２】
ここで、入力するディジタル信号の値によって動作するスイッチング電力増幅器が一義的に定まる場合と、入力するディジタル信号の値が一定でも動作するスイッチング電力増幅器が切り替わる場合とについて、スイッチング電力増幅器が発生する発熱量を比較する。なお、発熱量はスイッチング電力増幅器の平均出力電力に比例するため、平均出力電力で発熱量を比較する。
【００１３】
前者の装置の場合、変調０％のとき動作するスイッチング電力増幅器は特定され、発熱するスイッチング電力増幅器も決まる。例えば、出力が１ｋＷの送信機で、ピーク変調マージンが１１０％とすると、スイッチング電力増幅器のうち、無変調時に動作する１台の出力電力Ｐ１は、
0003920475.tif 000002
となる。
【００１４】
後者の装置の場合、等価的に全てのスイッチング電力増幅器が動作していることになる。したがって、動作する１台の出力電力Ｐ２は、
Ｐ２＝１０００Ｗ／１５台＝６７Ｗ                      …  式（２）
となる。
【００１５】
また、送信機の定格状態であるプログラム変調（変調度４０％）では、送信機の平均出力は無変調時の１．０８倍となる。このため、スイッチング電力増幅器１台当たりの出力電力Ｐ３は、
Ｐ３＝１０００Ｗ×１．０８／１５台＝７２Ｗ            …  式（３）
となる。
【００１６】
式（１）〜式（３）から分かるように、後者の装置によればスイッチング電力増幅器１台当たりの発熱量は、前者の装置に比べ半分以下になる。
【００１７】
このように後者の装置の方が発熱量が低下する。その結果、信頼性が向上し、放熱系の熱設計が簡略化し、また、総合効率向上やコストダウンが実現する。
【００１８】
【発明が解決しようとする課題】
従来のディジタル振幅変調送信機は、複数のスイッチング電力増幅器の出力を合成する構成になっている。この場合、複数のスイッチング電力増幅器の出力振幅がすべて同じであれば、動作状態となるスイッチング電力増幅器をどのようなタイミングで切り替え、また、組み合わせを変えても、出力波形は影響されない。しかし、すべてのスイッチング電力増幅器の出力振幅が同じとは限らない。このため、動作状態にあるスイッチング電力増幅器の組み合わせを変えると、出力振幅の違いによって振幅変調波の出力波形に段差などが発生する。この場合、音声に再生すると、例えば、ラジオから「ブチ」というような音が発し、ラジオの聴取者に対し不快な感じを与え、放送品質が低下する。
【００１９】
この発明は、上記した欠点を解決するもので、スイッチング電力増幅器を切り替えた際に、不快感を少なくしたディジタル振幅変調送信機を提供することを目的とする。
【００２０】
【課題を解決するための手段】
本発明は、音声信号をディジタル化したディジタル信号が入力され、前記ディジタル信号のビットの全てまたは一部の値に対応した数の出力端から動作信号を出力する符号化手段と、この符号化手段の出力端にそれぞれ接続され、かつ、前記音声信号で変調される搬送波信号を増幅する複数のスイッチング電力増幅器と、この複数のスイッチング電力増幅器のうち、前記符号化手段から前記動作信号が出力する出力端に接続して動作するスイッチング電力増幅器の出力を合成する合成器とを具備したディジタル振幅変調送信機において、前記ディジタル信号のビットの全てまたは一部と、このビットの全てまたは一部の値に対応する数を示す信号が出力される前記符号化手段の出力端との組み合わせを、ディジタル信号のビットと所定値とを比較し、音声信号の瞬時値が一定値以下の状態を検出して変えるようにしたことを特徴としている。
【００２１】
【発明の実施の形態】
この発明の実施形態について図１を参照して説明する。
【００２２】
符号１１は音声信号の入力端で、入力端１１から音声信号が入力する。入力した音声信号はＡ／Ｄコンバータ１２に加えられ、例えば１２ビットの２進符号（２０、２１、２２、……２１１）で表現されるディジタル信号に変換される。そして、ディジタル信号は各ビット毎に並列に符号器１３に加えられる。
【００２３】
符号器１３は、１２ビットの２進符号に対応する４０９５個（＃１〜＃４０９５）の出力端を有している。そして、これらの出力端のうち、ディジタル信号の値で定まる所定の出力端から信号が出力される。
【００２４】
例えば、２進符号の２０ビットが１の場合（１０進表示で１の場合）には＃１の１個の出力端に１が出力される。また、２１ビットが１の場合（１０進表示で２の場合）には＃２、＃３の２個の出力端に１が出力される。そして、２２ビットが１の場合（１０進表示で４の場合）には＃４〜＃７の４個の出力端に１が出力される。
【００２５】
この場合、音声信号のレベルが小さい場合は下位のビットが１になり、番号の小さい方の出力端に１が出力される。そして、音声信号のレベルが大きくなるにつれて上位のビットが１になり、番号の大きい出力端に１が出力されるようになる。
【００２６】
符号器１３の出力端は可変符号器１４に接続されている。可変符号器１４は、符号器１３の出力端に対応してそれぞれ４０９５個（＃１〜＃４０９５）の入力端と出力端が設けられている。可変符号器１４の動作については後で説明するが、可変符号器１４の出力端は、それぞれ各別に搬送波切替器１５（＃１〜＃４０９５）に接続され、搬送波切替器１５は同様に各別にスイッチング電力増幅器１６（＃１〜＃４０９５）に接続されている。なお、搬送波切替器１５は、可変符号器１４の出力が加えられた場合にオン状態となる。
【００２７】
搬送波切替器１５やスイッチング電力増幅器１６は、それぞれ複数個で構成されている。しかし、搬送波切替器１５やスイッチング電力増幅器１６などの表現は、必ずしもこれら複数個を総称するものではなく、特定の１個あるいは複数個を表現する場合も、搬送波切替器１５あるいはスイッチング電力増幅器１６と表現して説明する。
【００２８】
また、符号１７は搬送波信号の入力端で、入力端１７から搬送波信号が入力される。搬送波信号は、分配器１８でスイッチング電力増幅器１６の数に等しい４０９５個に分割され、それぞれ前記搬送波切替器１５に加えられる。そして、オン状態にある搬送波切替器１５を通してスイッチング電力増幅器１６に加えられ増幅される。増幅された信号は合成器１９に加えられる。なお、スイッチング電力増幅器１６の構成や動作については、米国特許第４，５８０，１１１に記載されているので説明は省略する。
【００２９】
合成器１９は、各スイッチング電力増幅器１６と個別に接続された一次巻線（＃１〜＃４０９５）と、各一次巻線に個別に結合され互いが直列に接続された二次巻線（＃１〜＃４０９５）とで構成されている。したがって、複数のスイッチング電力増幅器１６のうち、動作状態にあるスイッチング電力増幅器１６の出力が合成器１９で合成される。合成された出力は帯域フィルタ２０で振幅変調波となり、出力端２１から出力される。
【００３０】
また、Ａ／Ｄコンバータ１２の出力側に遷移状態検出器１０１が接続されている。遷移状態検出器１０１は、入力信号のレベルや入力信号のレベル変化などを検出し、入力信号のレベル状態に応じて可変符号器１４を制御する構成になっている。なお、遷移状態検出器１０１の構成や動作は後で説明する。
【００３１】
ここで、符号器１３や可変符号器１４の動作を図２を参照して説明する。図２において、図１と対応させると符号２１１が音声信号の入力端１１に、符号２１２がＡ／Ｄコンバータ１２に、符号２１３が符号器１３に、符号２１４が可変符号器１４に、符号２１５が搬送波切替器１５に、符号２１６がスイッチング電力増幅器１６に、そして、符号２０１が遷移状態検出器１０１にそれぞれ対応する。
【００３２】
図１の実施例では、音声信号を１２ビットのディジタル信号に変換している。しかし、図２では、説明の都合上、４ビット（２０、２１、２２、２３）のディジタル信号に変換されるものとして説明する。したがって、Ａ／Ｄコンバータ２１２は４個の出力端（＃１〜＃４）を有し、この出力端（＃１〜＃４）は符号器２１３に接続されている。
【００３３】
符号器２１３は、Ａ／Ｄコンバータ２１２の出力端（＃１〜＃４）に対応する４個の入力端（＃１〜＃４）と、１５個の出力端（＃１〜＃１５）とを有し、各入力端（＃１〜＃４）と各出力端（＃１〜＃１５）との間にバッファアンプＢ１〜１５が接続されている。
【００３４】
例えば、２０ビットに対応する入力端＃１には１個のバッファアンプＢ１が、そして、２１ビットに対応する入力端＃２には２個のバッファアンプＢ２、Ｂ３が、２２ビットに対応する入力端＃３には４個のバッファアンプＢ４〜Ｂ７が、さらに、２３ビットに対応する入力端＃４には８個のバッファアンプＢ８〜Ｂ１５が接続され、これらのバッファアンプは出力端（＃１〜＃１５）にそれぞれ接続されている。
【００３５】
符号器２１３の１５個の出力端は可変符号器２１４、例えばマトリックス状スイッチＳＷの入力端（＃１〜＃１５）に接続されている。マトリックス状スイッチＳＷは入力端と同数の出力端（＃１〜＃１５）を有している。マトリックス状スイッチＳＷを構成する入力端と出力端は、縦方向および横方向に交差するマトリックスの交点を通して接続される。そして、入力端と出力端とを接続する交点が、遷移状態検出器２０１から出力されるクロック信号によって移動するように構成されている。
【００３６】
例えば、ある時刻ｔ＝ｎでは○印の交点が接続状態にある。その後、ある時刻ｔ＝ｎ＋１に、遷移状態検出器２０１からクロック信号が発生すると□印の交点が接続状態となり、その後、さらにある時刻ｔ＝ｎ＋２に、遷移状態検出器２０１からクロック信号が発生すると△印の交点がそれぞれ接続状態となるように制御される。図の例では、遷移状態検出器２０１からクロック信号が発生するごとに、接続状態にある交点が１つずつ右方向に順に移動する。
【００３７】
例えば入力端＃１では、クロック信号が発生するたびに、出力端＃１から＃２、＃３…と順に接続され、また、入力端＃２は、出力端＃２から＃３、＃４…と順に接続される。
【００３８】
なお、マトリックス状スイッチＳＷの出力端は、それぞれ搬送波切替器２１５（＃１〜＃１５）に接続されている。搬送波切替器２１５は、マトリックス状スイッチＳＷの出力端から出力が加えられた時にオン状態となる。そして、図１で説明したようにオン状態にある搬送波切替器２１５（＃１〜＃１５）を通して、搬送波信号Ｃがスイッチング電力増幅器２１６に加えられ、スイッチング電力増幅器２１６は動作状態になる。
【００３９】
上記した構成によれば、たとえば入力する音声信号のレベルがある時間一定で、この間、符号器２１３から信号が出力する出力端が同一であっても、遷移状態検出器２０１から出力されるクロック信号によって、マトリックス状スイッチＳＷの接続状態にある交点が移動する。したがって、信号が出力するマトリックス状スイッチＳＷの出力端が変化する。このため、入力する音声信号に変化がなくても、動作状態となるスイッチング電力増幅器が変化し、１つのスイッチング電力増幅器が集中して動作するようなことがなくなる。
【００４０】
例えば、音声信号のレベルが低い状態が続いても、マトリックス状スイッチＳＷの働きで、スイッチング電力増幅器は小さい番号のものから、大きい番号のものまで均等に動作する。したがって、各スイッチング電力増幅器が均一に動作し、信頼性のバランスがよくなり、信頼性も向上する。
【００４１】
しかし、従来の技術で説明したように、スイッチング電力増幅器を切り替えた場合、それらの出力振幅に違いがあると、出力波形の大きさに段差などが発生し、ラジオの聴取者などに不快な感じを与え、放送品質が低下する。
【００４２】
そこで、遷移状態検出器２０１は、スイッチング電力増幅器を切り替えても不快な感じを与えないような入力信号の状態を検出し、スイッチング電力増幅器を切り替えている。
【００４３】
例えば、入力信号のない無音状態を聞き続ける聴取者はいない。したがって、このような無音状態を検出してスイッチング電力増幅器の切り替えが行われる。あるいは、入力信号が大きく音が大きな状態では、切替えに伴う小さな音が入っても大きな音にマスクされ聞こえなくなる特性がある。したがって、大きな音の状態を検出してスイッチング電力増幅器を切り替えている。
【００４４】
ここで、入力信号のない無音状態や、音が大きい状態を検出する方法を図３を参照して説明する。図３は、振幅変調波形の一例を示し、横軸は時間、縦軸は振幅を示している。時間t1〜t2は無音状態、時間t2〜t3は音が大きい状態、時間t3〜t4は音が小さい状態である。
【００４５】
無音状態（t1〜t2）は、一定の搬送波電力を出力し電力増幅器はほぼ半数が動作している。音のある有音状態（t2〜t4）は、その振幅に比例した台数の電力増幅器が動作している。いずれの場合も、動作する電力増幅器の数は、Ａ／Ｄコンバータ２１２（図２）から出力される４ビットのデータの大きさに対応する。
【００４６】
例えば、無音状態（t1〜t2）は、Ａ／Ｄコンバータ２１２から出力される信号の変化が小さくなっている。したがって、たとえば、Ａ／Ｄコンバータ２１２の出力変化が小さいことから無音状態が検出される。また、音の大きい場合は、符号Ｐ１やＰ２で示すように、Ａ／Ｄコンバータ２１２の出力信号が小さくなる状態が現れる。したがって、Ａ／Ｄコンバータ２１２の出力信号が小さくなったことから音の大きい状態が検出される。
【００４７】
ここで、無音状態や音の大きい状態を検出し、マトリックス状スイッチＳＷを制御する遷移状態検出器２０１（図２）の構成および動作について図４を参照して説明する。図４も、説明の都合上、図２と同様、入力信号が４ビット（２０、２１、２２、２３）のディジタル信号に変換されるものとして説明する。この場合、Ａ／Ｄコンバータ２１２は４個の出力端（＃１〜＃４）を有している。
【００４８】
Ａ／Ｄコンバータ２１２の４ビット出力は、遷移状態検出器２０１を構成する高域フィルタ４１とコンパレータ４２に加えられる。高域フィルタ４１では、Ａ／Ｄコンバータ２１２から出力される４ビットデータの変化分が抽出される。そして、高域フィルタ４１で抽出された変化分はレベル検出器４３に送られ、変化分の大小が検出される。レベル検出器４３で、変化分が小さいと判定するとタイマー４４を作動させる。その後、一定時間が経過すると、タイマー４４から信号が出力され、アンド回路４５に加えられる。タイマー４４の出力がアンド回路４５に加えられ、この状態で、クロック発生回路４６のクロックがアンド回路４５に入ると、アンド回路４５から信号が出力される。アンド回路４５の出力は、遷移状態検出器２０１の出力としてオア回路４７から出力される。
【００４９】
なお、遷移状態検出器２０１の出力はマトリックス状スイッチＳＷ（図２）に加えられ、接続状態にある交点をたとえば右方向に１つだけ移動させる。
【００５０】
また、コンパレータ４２に加えられたＡ／Ｄコンバータ２１２の４ビットデータは、固定値発生回路４８から与えられる固定値と比較される。そして、４ビットデータの値が固定値よりも小さいと、コンパレータ４２から信号が出力される。この出力はＤフリップフロップ４９のデータ端子Ｄに加えられる。Ｄフリップフロップ４９のクロック端子Ｔにはクロック回路４６のクロックが入力されている。したがって、Ｄフリップフロップ４９の出力端子Ｑから、データ端子Ｄに加えられた入力が所定時間遅れた形で出力される。この場合、Ｄフリップフロップ４９から、４ビットデータが固定値よりも小さく、かつ、クロック回路４６のクロックがクロック端子Ｔに加えられた際に、端子Ｑから信号が出力される。Ｄフリップフロップ４９の出力は、遷移状態検出器２０１の出力としてオア回路４７から出力される。
【００５１】
なお、遷移状態検出器２０１の出力はマトリックス状スイッチＳＷ（図２）に加えられ、接続状態にある交点をたとえば右方向に１つだけ移動させる。
【００５２】
上記したように、遷移状態検出器２０１は無音状態や音の大きい状態を検出し、マトリックス状スイッチＳＷの接続点を１つずつシフトさせ、動作するスイッチング電力増幅器を切替えている。
【００５３】
この場合、スイッチング電力増幅器の切替えは、無音の状態が一定時間継続した場合や、音が大きい状態であるため、聞取者に与える不快感をなくすことができる。
【００５４】
上記した実施形態では、Ａ／Ｄコンバータの出力を遷移状態検出器に加え、遷移状態検出器はディジタル信号を処理する構成になっている。しかし、遷移状態検出器がアナログ信号を処理するような構成とし、Ａ／Ｄ変換器におけるアナログ信号を遷移状態検出器に入力する構成にすることもできる。
【００５５】
また、固定値発生回路が発生する固定値は、振幅変調波の出力変化などに応じて変えることもできる。
【００５６】
また、上記した実施形態では、マトリックス状スイッチの入力端と出力端とを接続する全ての交点を、遷移状態検出器の出力で移動させている。しかし、これらの交点を複数の組に分け、それぞれの組を単位にして交点を移動させるようにすることもできる。この場合も、各スイッチング電力増幅器の平均的電力損失はほぼ平均化される。
【００５７】
また、可変符号器の動作の説明を、４ビットの場合で行っているが、図１のような１２ビットの場合も同様に説明できる。
【００５８】
上記した構成によれば、動作するスイッチング電力増幅器の発熱量が少なくなり、信頼性が向上し、また、スイッチング電力増幅器の切り替えによる不快感を少なくできる。
【００５９】
【発明の効果】
本発明によれば、スイッチング電力増幅器を切り替えた際に、不快感を少なくしたディジタル振幅変調送信機を実現できる。
【図面の簡単な説明】
【図１】本発明の一実施例を示す回路構成図である。
【図２】本発明の動作を説明するための回路構成図である。
【図３】本発明の動作を説明するための波形図である。
【図４】本発明に使用される遷移状態検出器を説明するための回路構成図である。
【図５】従来例を説明するための回路構成図である。
【符号の説明】
１１…入力端
１２…Ａ／Ｄコンバータ
１３…符号器
１４…可変符号器
１５…搬送波切替器
１６…スイッチング電力増幅器
１７…入力端
１８…分配器
１９…合成器
２０…帯域フィルタ
２１…出力端
１０１…遷移状態検出器
【図１】
0003920475.tif 000003
【図２】
0003920475.tif 000004
【図３】
0003920475.tif 000005
【図４】
0003920475.tif 000006
【図５】
0003920475.tif 000007